(57)【要約】【課題】ボタンに強い負荷がかけられると、ボタンの脱落やボタンを実装した基盤の破損が起こり得るという問題がある。【解決手段】ボタンと、前記ボタンが表面に実装される基盤と、前記基盤の裏面側に位置し、前記ボタンが押下された際に前記基盤の裏面の一部と接触する受け箇所を有する裏面板と、を有するスイッチ構造とする。このようにすると、荷重が裏面板に分散されるので、ボタンが押されても、回路基盤に生じるたわみを抑制ができる。【選択図】図１
2013045504.tif 000002
【特許請求の範囲】
【請求項１】
ボタンと、
前記ボタンが表面に実装される基盤と、
前記基盤の裏面側に位置し、前記ボタンが押下された際に前記基盤の裏面の一部と接触する受け箇所を有する裏面板と、
を有するスイッチ構造。
【請求項２】
前記裏面板は、他の構造物に接触あるいは支持されている支持部と、前記受け箇所とを有し、
前記受け箇所は前記支持部より、前記基盤の側に形成されている、
請求項１に記載のスイッチ構造。
【請求項３】
前記受け箇所および前記支持部は前記裏面板を絞り加工することにより形成されている、
請求項２に記載のスイッチ構造。
【請求項４】
前記受け箇所が接触する前記基盤の位置の上部に前記ボタンが実装されている、
請求項１ないし３に記載のスイッチ構造。
【請求項５】
前記ボタンはキートップと前記キートップの押下に連動して押下されるスイッチとを有し、
前記キートップの周囲にはカバーが配置され、
前記キートップは前記カバーに嵌合されて固定されている、
請求項１に記載のスイッチ構造。
【請求項６】
前記基盤は、前記キートップまたは前記カバーに嵌合されて固定されている、請求項５に記載のスイッチ構造。
【請求項７】
前記受け箇所の電位はアース電位であり、
前記基盤にはグラウンド接点が形成され、
前記グラウンド接点は前記受け箇所上側に当接あるいは近接して配置されるように形成された、
請求項１に記載のスイッチ構造。
【請求項８】
ボタンと、
前記ボタンが表面に実装される基盤と、
前記基盤の裏面側に位置し、前記ボタンが押下された際に前記基盤の裏面の一部と接触する受け箇所を有する裏面板と、
を有する表示装置。
【発明の詳細な説明】
【技術分野】
【０００１】
本発明はスイッチ構造および、表示装置に関する。より詳しくは、スイッチにかかる荷重を効率的に分散可能なスイッチ構造および、該スイッチ構造を有する表示装置に関する。
【背景技術】
【０００２】
近年、表示装置の多機能化が進んでいる。多機能化した表示装置には多数のスイッチが形成されている。特に、光ディスクドライブに関するスイッチが表示装置に形成される製品が近年急増している。
【０００３】
従来、光ディスクドライブのイジェクトボタンを備える機構では特許文献１に記載の構造が知られている。
【先行技術文献】
【特許文献】
【０００４】
【特許文献１】特開２００６−９９８６５号公報
【発明の概要】
【発明が解決しようとする課題】
【０００５】
上記従来の技術のように配置されたイジェクトボタンには使用者により様々な大きさの負荷がかけられる。
【０００６】
イジェクトボタンに強い負荷がかけられると、ボタンの脱落やボタンを実装した基盤の破損が起こり得るという問題がある。
【０００７】
本発明は上記課題を解決することを目的とする。
【課題を解決するための手段】
【０００８】
本発明のスイッチ構造または表示装置は、前記従来の課題を解決する為に、ボタンと、前記ボタンが表面に実装される基盤と、前記基盤の裏面側に位置し、前記ボタンが押下された際に前記基盤の裏面の一部と接触する受け箇所を有する裏面板と、を有するスイッチ構造または表示装置とした。
【発明の効果】
【０００９】
本発明のスイッチ構造または表示装置によれば、荷重が裏面板に分散されるので、スイッチボタンが押されても、回路基盤に生じるたわみを抑制ができる。
【図面の簡単な説明】
【００１０】
【図１】実施の形態１にかかる映像表示装置の外観を示す図
【図２】実施の形態１にかかる映像表示装置の上面図
【図３】実施の形態１にかかるスイッチボタンの拡大図
【図４】実施の形態１にかかる図３におけるペデスタルのＡ−Ａ断面図
【図５】実施の形態１にかかる図３におけるペデスタルのＢ−Ｂ断面図
【図６】実施の形態１にかかる回路基盤の上面図
【図７】実施の形態１にかかる回路基盤の底面図
【発明を実施するための形態】
【００１１】
以下本発明の一実施の形態について図面を参照しながら説明する。
（実施の形態１）
以下図１を参照しながら、実施の形態１について説明する。
（機器の構成）
（図を使って説明、構成要素（符号を付した要素）について個別に短い文章で説明。）
図１は映像表示装置の外観を示す図である。映像表示装置１００は、映像を出力するディスプレイ１０１を備える。ディスプレイ１０１は本実施の形態では液晶ディスプレイを採用したが、適宜プラズマディスプレイパネルなどを用いることもできる。また、映像表示装置１００には、ディスプレイ１０１を支えるペデスタル１０２が設けられている。ペデスタル１０２には、光ディスクに記録された映像信号をディスプレイ１０１に出力する光ディスクドライブ１０３が搭載されている。光ディスクドライブ１０３には正面方向から光ディスク（図示しない）が挿入され、光ディスクに記録されたコンテンツがディスプレイ１０１に映し出される。
【００１２】
図２は映像表示装置の上面図である。ペデスタル１０２には光ディスクドライブ１０３から光ディスクを取り出すためのスイッチボタン２０１が設けられている。また、ペデスタル１０２にはスタンドカバー２０２が設けられている。
【００１３】
以下図３から図５を用いてペデスタル１０２およびスイッチボタン２０１について詳細に説明する。
【００１４】
図３はスイッチボタンの拡大図である。図３において、Ａ−Ａの位置とＢ−Ｂの位置で断面を取る。以下断面図に基づいて説明を行う。
【００１５】
図４は図３におけるペデスタルのＡ−Ａ断面図である。図４において示されるように、ペデスタル１０２の内部にはスイッチボタン２０１と、スタンドカバー２０２と、スイッチ素子４０１と、回路基盤４０２と、裏面板４０３と、が存在する。図４において示す構造をスイッチ構造４００とする。本実施の形態におけるスイッチ構造４００は少なくともスイッチボタン２０１と、回路基盤４０２と、裏面板４０３とを有する。以下各構成要素について説明する。
【００１６】
スイッチボタン２０１はスタンドカバー２０２に爪嵌合で固定されている。ここで、爪嵌合とは、スタンドカバー２０２にリブ形状を設けかつ、リブの先端からスイッチボタン２０１の外周を保持するように凸形状をスイッチボタン２０１の押す方向に対して外周を受ける構造である。このようにして、スイッチボタン２０１はスタンドカバー２０２から脱落しないように形成されている。また、スイッチボタン２０１には回路基盤４０２が爪嵌合で取り付けてある。この爪嵌合も同様に、スイッチボタン２０１に形成されたリブ形状が回路基盤４０２の外周を保持する構造である。このようにして回路基盤４０２がスイッチボタン２０１から脱落することを防止している。なお、本実施の形態では回路基盤４０２はスイッチボタン２０１に爪嵌合される構成としたが、スタンドカバー２０２に別途リブを形成し、爪嵌合によって脱落を防止する構成としてもよい。
【００１７】
回路基盤４０２には、スイッチ素子４０１が取り付けている。スイッチ素子４０１はスイッチボタン２０１に近接ないし当接している。
【００１８】
また、スタンドカバー２０２と裏面板４０３はビスで締結されている。
【００１９】
裏面板４０３には絞り加工によって受け箇所４０４が形成されている。裏面板４０３において受け箇所４０４以外の箇所の一部である支持部は、載置面（図示しない）に接している。受け箇所４０４は、支持部より、回路基盤４０２側に形成されている。なお、裏面板４０３の電位は映像表示装置１００の電源におけるアース電位と等しくなるように形成されている。
【００２０】
回路基盤４０２の裏面と受け箇所４０４は近接している。本実施の形態では、回路基盤４０２の裏面と受け箇所４０４との距離は０．２ｍｍである。本実施の形態では受け箇所４０４が接触する回路基盤４０２の位置の上部にスイッチボタン２０１が実装されている。
【００２１】
図５に、図３で取ったペデスタル１０２のＢ−Ｂ断面図を示す。この図においても分かるように、回路基盤４０２の裏面と受け箇所４０４は近接している。本実施の形態では、回路基盤４０２の裏面と受け箇所４０４との距離は０．２ｍｍである。
【００２２】
以下、図６と図７を用いて、回路基盤４０２について詳細に説明する。
【００２３】
図６は実施の形態１にかかる回路基盤の上面図である。
【００２４】
図６に示されるように、回路基盤４０２の上面には、スイッチ素子４０１と、グラウンド接点６０１が形成されている。スイッチ素子４０１は、プッシュスイッチであり、押下している時に回路基盤４０２上の信号の経路が変化する。グラウンド接点６０１は、はんだボールであり、スイッチ素子４０１や回路基盤４０２上に形成された他の電子回路（図示しない）の基準電位を有する。
【００２５】
図７は実施の形態１にかかる回路基盤の底面図である。回路基盤４０２の裏面にはグラウンド接点７０１が形成されている。グラウンド接点７０１もグラウンド接点６０１と同様にはんだボールであり、グラウンド接点６０１と電気的に接続されており、スイッチ素子４０１や回路基盤４０２上に形成された他の電子回路（図示しない）の基準電位を有する。ここで、グラウンド接点７０１は受け箇所４０４の上側に配置されている。
（機器の作用・効果）
以下、映像表示装置１００の使用者がスイッチボタン２０１を押したときの作用を、図４を用いて説明する。
【００２６】
第一に、スイッチ構造４００が、スイッチボタン２０１実装される回路基盤４０２と、前記回路基盤４０２の裏面側に位置し、前記スイッチボタン２０１が押下された際に前記回路基盤４０２の裏面の一部と接触する受け箇所を有する裏面板４０３を有することによって得られる作用効果を説明する。映像表示装置１００の使用者がスイッチボタン２０１を押すと、鉛直下部方向に荷重がかかる。スイッチボタン２０１に加わった荷重はスイッチ素子４０１を介して回路基盤４０２に伝わる。回路基盤４０２は荷重によって、微小に下側に向かって湾曲する。回路基盤４０２が湾曲すると、回路基盤４０２の裏面が受け箇所４０４に接触する。回路基盤４０２の裏面が、受け箇所４０４に接触することによって回路基盤４０２にかかった荷重が裏面板４０３へ分散される。このように、荷重が裏面板４０３に分散されるので、スイッチボタン２０１が押されても、回路基盤４０２に生じるたわみを抑制することができる。
【００２７】
また、スイッチ構造４００は、支持部より回路基盤４０２側に形成された受け箇所４０４をさらに有しても良い。このようにすると、回路基盤４０２の上下方向の配置を自由に構成することができる。
【００２８】
また、スイッチ構造４００は、裏面板４０３に対する絞り加工によって、裏面板４０３に受け箇所４０４と支持部が形成されるようにしてもよい。このようにすると、受け箇所４０４の強度を強くすることができ、スイッチボタン２０１が強い力で押されても裏面板４０３ないし回路基盤４０２が破壊されることを防止することができる。
【００２９】
また、スイッチ構造４００は、受け箇所４０４が接触する回路基盤４０２の位置の上部にスイッチボタン２０１が実装されているようにしてもよい。このようにすると、スイッチボタン２０１にかかった荷重が回路基盤４０２を介して受け箇所４０４垂直に伝わる。よって、回路基盤４０２のたわみを最小限に抑えることができる。
【００３０】
また、スイッチ構造４００において、スイッチボタン２０１はスタンドカバー２０２に嵌合されて固定されているようにしてもよい。このようにすると、スイッチボタン２０１とスタンドカバー２０２をネジなどの締結手段を用いずに固定することができる。さらに、本実施の形態においては、スイッチボタン２０１にかかった荷重は裏面板４０３に分散される。よって、スイッチボタン２０１を嵌合構造で形成してもスイッチボタン２０１の脱落のおそれを防止することができる。
【００３１】
また、スイッチ構造４００において、回路基盤４０２は、スイッチボタン２０１またはスタンドカバー２０２に嵌合されて固定されるようにしてもよい。このようにすると、回路基盤４０２をネジなどの締結手段を用いずに固定することができる。さらに、本実施の形態においては、回路基盤４０２にかかった荷重は裏面板４０３に分散される。よって、回路基盤４０２を嵌合構造で形成しても回路基盤４０２の脱落のおそれを防止することができる。
【００３２】
また、スイッチ構造４００において、裏面板４０３の電位を映像表示装置１００の電源におけるアース電位と等しくなるように形成し、かつ、グラウンド接点７０１が受け箇所４０４の上側に当接あるいは近接して配置されるように形成してもよい。このようにすると、静電気による悪影響を抑止することができる。すなわち、映像表示装置１００の使用者がペデスタル１０２に指先を近づけた際に指先から静電気が発生するおそれがある。しかし、本実施の形態においては発生した静電気は回路基盤４０２を介してグラウンド接点７０１に落ちる。このようにして、発生した静電気がアース端子に落ちるので、設計外の箇所に静電気が伝わり、機器が誤動作することを防ぐことができる。なお、本実施の形態のように回路基盤４０２の上面にもグラウンド接点６０１を形成すると、指先により近い箇所にグラウンド接点を形成することができる可能性があるので、より確実に、静電気をグラウンド接点７０１を介してアース端子に落とすことができる。
【００３３】
また、スイッチ構造４００において、グラウンド接点７０１は、スイッチ素子４０１の基準電位と同一となるようにしてもよい。このようにすると回路基盤４０２のパターン配置を簡略化することができる。
【産業上の利用可能性】
【００３４】
本発明のスイッチ構造は映像表示装置用のスイッチ構造として有用である。
【符号の説明】
【００３５】
１００  映像表示装置
１０１  ディスプレイ
１０２  ペデスタル
１０３  光ディスクドライブ
２０１  スイッチボタン
２０２  スタンドカバー
４００  スイッチ構造
４０１  スイッチ素子
４０２  回路基盤
４０３  裏面板
４０４  受け箇所
６０１  グラウンド接点
７０１  グラウンド接点
【図１】
2013045504.tif 000003
【図２】
2013045504.tif 000004
【図３】
2013045504.tif 000005
【図４】
2013045504.tif 000006
【図５】
2013045504.tif 000007
【図６】
2013045504.tif 000008
【図７】
2013045504.tif 000009